(57)【要約】【課題】  内部に挿入している予備線と共に電線管を切断した際に、電線管の切断箇所から内部へ予備線が潜り込まないようにする。【解決手段】  可撓性を有する電線管１の長手方向に沿って内部に予備線２を延在した予備線２を備えた電線管１であって、予備線２は保形性を備えた剛性を有する線材をコイル状もしくはジグザグ状に折曲変形して成る。予備線２は、切断した電線管１の切断開口端外方へ弾性的もしくは塑性的に引き延ばして切断開口端縁部１Ａに掛架保持可能となるようにし、また予備線２は、直径が０．９〜２．０ｍｍの鉄線もしくは軟質ＰＶＣ被覆鉄線であるものとする。【選択図】      図１
0003104092.tif 000002
【実用新案登録請求の範囲】
【請求項１】
可撓性を有する電線管内長手方向に沿って内部に予備線を延在させた予備線を備えた電線管において、
前記予備線は、保形性を備えた剛性を有する線材をコイル状もしくはジグザグ状に折曲変形されており、
前記予備線は、切断された電線管の切断開口端外方へ弾性的もしくは塑性的に引き延ばして切断開口端縁部に掛架保持可能となるように構成したことを特徴とする予備線を備えた電線管。
【請求項２】
予備線は、直径が０．９〜２．０ｍｍの鉄線もしくは軟質ＰＶＣ被覆鉄線である請求項１記載の予備線を備えた電線管。
【考案の詳細な説明】
【技術分野】
【０００１】
本考案は、電線ケーブル類を保護するために用いる例えばＰＦ管、ＣＤ管等の可撓性を有する電線管の長手方向に沿って内部に予備線を延在させたことで、当該予備線によって電線ケーブル類を引っ張りながら電線管の中を案内可能にして成る予備線を備えた電線管に関する。
【背景技術】
【０００２】
一般に、例えばＰＦ管、ＣＤ管等の可撓性を有する電線管内に線状の予備線を挿入して長手方向に沿って延在させ、さらに電線管の両端から多少外方へ延長し突出させておき、敷設した電線管内に後で電線ケーブル類を引き込む際に、電線ケーブルの一端を予備線の一端に連結して引っ張りながら電線管の中を案内するものとしている。このような予備線として従来では、特許文献１に開示されているような引っ張り強度が３０ｋｇｆ／平方ｃｍ以上で、引っ張り切断伸びが５〜３０％の範囲にある材質の、合成樹脂繊維を含む非金属性繊維から形成された紐状物を使用した技術がある。
【特許文献１】実開平５−４０６８７号公報
【考案の開示】
【考案が解決しようとする課題】
【０００３】
しかしながら従来におけるように、予備線として合成樹脂繊維を含む非金属性繊維から形成された紐状物を使用した場合、施工時の布設において所定の長さに電線管を切断した際に、当該予備線も同時に切断されるのであるが、予備線自体は何等の保形性を有せず弾性的に縮む可能性があり、これによって施工時に電線管を必要な形状に撓曲して配管させた場合には、切断箇所から電線管内部に予備線が潜り込んでしまい、切断開口端から予備線を引き出すのが困難となる虞れがある。
【０００４】
そこで本考案は、前述の従来の問題を解決するためになされたものであって、内部に挿入されている予備線と共に電線管を切断した際に、電線管の切断箇所から内部へ予備線が潜り込まないように当該予備線自体が保形性を有し、しかも切断箇所の予備線を切断開口端外方へ弾性的もしくは塑性的に引き延ばし可能となるように余長分を電線管内に貯めておくことができ、これによって予備線を切断開口端縁部に掛架保持可能にすることで、以後の電線管内への電線ケーブル類の引き込み作業に何等の支障を来すこと無く容易に施工が行えるものとした予備線を備えた電線管を提供することを目的とする。
【課題を解決するための手段】
【０００５】
上述した課題を解決するため、本考案にあっては、可撓性を有する電線管１の長手方向に沿って内部に予備線２を延在させた予備線２を備えた電線管１であって、前記予備線２は、保形性を備えた剛性を有する線材をコイル状もしくはジグザグ状に折曲変形して成ることを特徴とする。
予備線２は、切断された電線管１の切断開口端外方へ弾性的もしくは塑性的に引き延ばして切断開口端縁部１Ａに掛架保持可能となるようにしたものとできる。
予備線２は、直径が０．９〜２．０ｍｍの鉄線もしくは軟質ＰＶＣ被覆鉄線であるものとすることができる。
【０００６】
以上のように構成された本考案に係る予備線２を備えた電線管１にあって、保形性を備えた剛性を有する線材をコイル状もしくはジグザグ状に折曲変形して成る予備線２は、自体の保形成によって、予備線２と共に電線管１を切断した際に、電線管１の切断箇所から内部への予備線２の潜り込みを防止させる。
予備線２は、切断された電線管１の切断開口端外方へ弾性的もしくは塑性的に引き延ばして切断開口端縁部１Ａに掛架保持させることで、施工時に電線管１を必要な形状に撓曲して配管させた場合でも、電線管１の切断箇所から内部へ予備線２が潜り込まないものとなり、以後の電線管１内への電線ケーブル類の引き込み作業を容易にさせる。
直径が０．９〜２．０ｍｍの鉄線もしくは軟質ＰＶＣ被覆鉄線である予備線２は、自体の剛性によって電線ケーブル類の引っ張りに対する強度を向上させると共に、コイル状もしくはジグザグ状の折曲変形を容易にさせる。
【考案の効果】
【０００７】
本考案によれば、内部に挿入されている予備線２と共に電線管１を切断した際に、電線管１の切断箇所から内部へ予備線２が潜り込まないように当該予備線２自体が保形性を有し、しかも切断箇所の予備線２を切断開口端外方へ弾性的もしくは塑性的に引き延ばし可能となるように余長分を電線管１内に貯めておくことができ、これによって予備線２を切断開口端縁部１Ａに掛架保持可能にすることで、以後の電線管１内への電線ケーブル類の引き込み作業に何等の支障を来すこと無く容易に施工が行えるものとなる。
【考案を実施するための最良の形態】
【０００８】
以下図面を参照して本考案を実施するための最良の一形態を説明すると、図において示される符号１は、電線ケーブル類を保護するために用いる例えばＰＦ管、ＣＤ管等の合成樹脂製の可撓性を有し、例えば内径が１６ｍｍ，２２ｍｍ，２８ｍｍ，３６ｍｍ等の塩ビ製管材を蛇腹管状に形成して成る電線管１であって、図１に示すように、電線管１の長手方向に沿って内部に予備線２を延在させることで、当該予備線２によって電線ケーブル類（図示せず）を引っ張りながら電線管１の中を案内可能にしてある。この電線管１自体は、保管および運搬上の便宜性、およびその他作業性の理由からドラム３に巻装されていて、施工時には、この電線管１をドラム３から引き延ばして、例えば長さが約３０ｍ〜５０ｍ程度となるように切断して使用するものとしてある。
【０００９】
図２に示すように、予備線２は、保形性を備えた剛性強度の高い線材、例えば直径が０．９〜２．０ｍｍの鉄線もしくは軟質ＰＶＣ被覆鉄線をコイル状折曲変形して成る。そして、内挿されている予備線２と同時に、電線管１を必要な形状に撓曲配管可能となるよう所定の長さに切断した際に、電線管１の切断開口端外方へ予備線２を弾性的もしくは塑性的に引き延ばしておいてから、この切断端部２Ａを切断開口端縁部１Ａに掛架保持させるものしてある。
【００１０】
また、図３には電線管１に内挿された予備線２の折曲形状の他例が示されており、予備線２として例えば直径が０．９〜２．０ｍｍの鉄線もしくは軟質ＰＶＣ被覆鉄線をジグザグ状に折曲変形して電線管１内に延在させ、切断した電線管１の切断開口端における予備線２の切断端部２Ａを折り返して切断開口端縁部１Ａに掛架保持させたものとしてある。
【００１１】
次に、本考案の構成における使用について説明すれば、図１に示すように、施工に際し、電線管１をドラム３から引き延ばして、電線管１を必要な形状に撓曲配管可能となるよう所定の長さ、例えば長さが約３０ｍ〜５０ｍ程度となるように切断する。このとき予備線２は、自体の保形成によって、予備線２と共に電線管１を切断した際に、電線管１の切断箇所から内部への予備線２の潜り込みを防止すると共に導入線として引っ張る時の片手もしくは両手に力が入るだけの長さを保有する。
【００１２】
また、内挿されている予備線２と同時に、電線管１を切断した際に、電線管１の切断開口端外方へ予備線２を弾性的もしくは塑性的に引き延ばしておいてから、当該予備線２の切断端部２Ａを電線管１の切断開口端縁部１Ａに掛架保持させておく。そして、電線管１を必要な形状に撓曲して配管させておき、電線管１内に電線ケーブル類を引き込む際に、切断開口端縁部１Ａに掛架保持させてある予備線２をいったん外してから、電線ケーブルの一端を予備線２の一端に連結して引っ張りながら電線管１の中を案内すれば良い。
【００１３】
このように予備線２は、切断された電線管１の切断開口端外方へ弾性的もしくは塑性的に引き延ばしてからこの切断端部２Ａを切断開口端縁部１Ａに掛架保持させることで、施工時に電線管１を必要な形状に撓曲して配管させた場合でも、電線管１の切断箇所から内部へ予備線２が潜り込まないものとなり、以後の電線管１内への電線ケーブル類の引き込み作業を容易にさせるのである。
【図面の簡単な説明】
【００１４】
【図１】本考案を実施するための最良の一形態を示す電線管を運搬を容易にするためにドラムに巻装させた状態から一部を引き出した状態を示す断面図である。
【図２】同じく電線管を切断して、予備線を切断開口端縁部に掛架させる工程を説明する断面図である。
【図３】電線管に内挿された予備線の折曲形状の他例を示す断面図である。
【符号の説明】
【００１５】
１  電線管
１Ａ  切断開口端縁部
２  予備線
２Ａ  切断端部
３  ドラム
【図１】
0003104092.tif 000003
【図２】
0003104092.tif 000004
【図３】
0003104092.tif 000005